(57)【要約】【課題】光ディスクそのものに「反り」のある場合の、その光ディスクの回転時の面振れを抑制すること。【解決手段】ターンテーブル６とともに光ディスク２をクランプするクランパ１１の下面に設けられた磁石１１ａに、光ディスク２と同芯の円形磁石１２を保持させる。併せて、平面視、そのクランパ１１の磁石１１ａによって保持された磁石１２の領域内の上方に電磁石１３を設ける。このような構成により、光ディスク２上に前記円形磁石１２を同芯に載置して、その磁石１２に、上方の電磁石１３から電磁力（磁石との間の反発力）を作用させれば、その磁石１２を介してディスク２を押圧して、その「反り」を矯正することができ、光ディスク２の面振れを抑制することができる。【選択図】図２
2007122826.tif 000002
【特許請求の範囲】
【請求項１】
ターンテーブルとともに光ディスクをクランプするクランパの下面に設けられた磁石に
、光ディスクと同芯の円板状の磁石を保持させるとともに、平面視、そのクランパによっ
て保持された前記円板状の磁石の表示領域内の上方に電磁石を備えた光ディスク装置。
【請求項２】
請求項１に記載の光ディスク装置において、上記電磁石の電磁力の大きさが調整可能と
なっていることを特徴とする光ディスク装置。
【請求項３】
請求項１または２に記載の光ディスク装置において、上記円板状の磁石をその円周方向
に分割したことを特徴とする光ディスク装置。
【発明の詳細な説明】
【技術分野】
【０００１】
この発明は、光ディスク装置に係り、詳しくは、ターンテーブル上に載置された反りの
ある光ディスクが回転する際に生じる、光ディスクの面振れの抑制を図るための構造の改
良に関する。
【背景技術】
【０００２】
デジタル情報の記録が可能なＣＤやＤＶＤなどの光ディスク（以下、簡単にディスクと
もいう）は、それをドライブする光ディスク装置（以下、簡単にディスク装置ともいう）
により、音声や画像情報の再生と記録が行われる。
【０００３】
図３および図４はその光ディスク装置の、従来の一般的な構成の一部を示したものであ
る。その内、図３はディスクトレイ１（以下、簡単にトレイ１ともいう）に装填されてデ
ィスク装置筐体内にローディングされてきた光ディスク２が、筐体内のディスクの回転駆
動系３にセットされる構成の概要を示した図であり、図４は、図３から、そのディスクの
回転駆動系３だけを抜き出して示したものである。
【０００４】
先ず、図３は装置筐体の側断面をとって、その内部を示したものである。図の左側にハ
ッチングを付して示した断面が装置内のシャーシ４であり、ここにトレイの出入り口４ａ
が設けられている。そして、図は、そのトレイの出入り口４ａから、ディスク２が装填さ
れたトレイ１が図示しない駆動機構によって装置内にローディングされてきて、その終点
に達した状態を示したものである。
【０００５】
そのトレイ１が終点に至った際の、その終点の下方には、ディスクの回転駆動系３が待
機している。この回転駆動系３はトラバースシャーシ５に搭載され、そのトラバースシャ
ーシ５が、装置内シャーシ４に回転可能に取り付けられている。
【０００６】
そのディスクの回転駆動系３は、図４に示すように、ディスク２が載置されて回転する
ターンテーブル６、そのターンテーブル６を回転させるスピンドルモータ７、ディスク２
に対してデジタル情報の読み書きを行う光ピックアップ８、およびその光ピックアップ８
を駆動するスレッドモータ９とギア群１０とから成る。光ピックアップ８は、そのスレッ
ドモータ９とギア群１０と図示しない制御機構によって、ディスク２の記録面に対し、平
行、かつ、半径方向にサーボ制御されて往復動して、情報の記録ならびに再生を行う。以
上が、従来の光ディスク装置のディスクの回転駆動系３とその周り（ディスクトレイのロ
ーディング機構）の一般的な構成である。次に、その動作を説明する。
【０００７】
図３に示したように、トレイ１が筐体内にローディングされてきて、その終点に達する
と、先ほどの回転駆動系３を擁したトラバースシャーシ５が図示しない回転機構によって
回転軸の回りに回転する形で、回転駆動系３が上昇し、光ディスク２がターンテーブル６
とクランパ１１の間にクランプされるようになる。こうして、図４に示したように、光デ
ィスク２が回転可能な状態となる。
【０００８】
そうすると、スピンドルモータ７に駆動されてターンテーブル６が回転し、光ディスク
２が回転すると、スレッドモータ９も動作して、ギア群１０を介して、光ピックアップ８
も動作して光ディスク２に対するデータの読み書きが行われる。
【発明の開示】
【発明が解決しようとする課題】
【０００９】
ところで、上記のような光ディスク２および光ピックアップ８の駆動形態において、デ
ィスク２に対するデジタル情報の読み出し、書き込みが良好に行われるかどうかに影響を
与える因子として、そのディスク２の回転時のディスク２の「面振れ」がある。光ピック
アップ８が安定したデータの書き込みまたは読み出しを行えるようにするには、光ディス
ク２を面振れが少ない状態で回転させることが必要である。
【００１０】
面振れにはいろいろな要因があるが、ディスク２の「反り」もその一つである。反りを
有したディスク２を回転させると、ターンテーブル６や、その駆動モータ（スピンドルモ
ータ７などの回転機構が正常な動作をしていても、面振れを生じることになる。
【００１１】
そこで、本発明は、主に、光ディスクそのものに「反り」のある場合の、その光ディス
クの回転時の面振れを抑制することを課題とする。
【課題を解決するための手段】
【００１２】
上記課題を達成するため、本発明は、光ディスク装置として、ターンテーブルとともに
光ディスクをクランプするクランパの下面に設けられた磁石に、光ディスクと同芯の円板
状の磁石を保持させるとともに、平面視、そのクランパによって保持された前記円板状の
磁石の表示領域内の上方に電磁石を備えた構成のものとしたのである。
【００１３】
このような構成の装置によれば、光ディスク上に前記円板状の磁石を同芯に載置して、
その磁石に、上方の前記電磁石から電磁力（磁石との間の反発力）を作用させれば、その
磁石を介してディスクを押圧して、その「反り」を矯正することができ、光ディスクの面
振れを抑制することができる。
【００１４】
その際、その電磁石の電磁力の大きさ、すなわち、それは、その電磁力によって磁石を
介して押圧するディスクの「反りの矯正量」に対応するが、その電磁力の制御機構を設け
て、その電磁力が調整可能なようにしておけば、そのディスク２の「反りの矯正量」を調
整して、反りの状態の異なるあらゆるディスクの面振れの抑制に対応することができ、ま
た、ある一つのディスクに対して面振れ抑制のために電磁力を作用させている際に、その
電磁力を調整して、反りの矯正量に過不足が生じないようにすることができる。
【００１５】
なお、その電磁力の調整、すなわち、ディスクの反りの矯正量の調整は、光ピックアッ
プの読み書きが安定して行われているか否かの情報に基づき、その情報を前記電磁力の制
御機構にフィードバックして行う。
【００１６】
上記各構成において、前記円板状の磁石を円周方向に等分割した構成とすることができ
、そのようにすれば、ディスク上の磁石が電磁石から力を受けて、その力がディスクに伝
えられる際、ディスクの特定の部位に応力が集中するといったおそれがないので、ディス
クに負担がかかることがない。
【発明の効果】
【００１７】
本発明は、上記のように構成したので、「反り」を有した光ディスクの、その「反り」
が矯正され、面振れを抑制することができるので、光ピックアップのフォーカス、トラッ
キング動作が安定する。
【００１８】
従って、安定したデータの読み出しや書き込みが行え、ＣＤやＤＶＤの再生時、良好な
音質、画質を得ることができる。また、ＣＤやＤＶＤの作製時、良好な音質、画質の再生
が可能なものを得ることができる。
【発明を実施するための最良の形態】
【００１９】
以下、この発明の実施の形態を、図面を参照して説明する。背景技術の項で紹介した従
来の構成のものと同じ要素については、同じ符号を付してその説明は省略する。図１は、
本実施形態の光ディスク装置の、光ディスク２を載置して回転させるためのターンテーブ
ル６周りの概略構成を示した模式図である。また、図２は、本実施形態の装置の作用を示
した図である。
【００２０】
先ず、図１に示すように、本実施形態の光ディスク装置のスピンドルモータ７で駆動さ
れるターンテーブル６があって、そのターンテーブル６の上に光ディスク２が載置され、
その光ディスク２の下方に光ピックアップ８が位置している、という構成は、背景技術の
項で紹介した従来のものと変りは無い。
【００２１】
本実施形態の構成が従来のものと異なるのは、ターンテーブル６とともに、その光ディ
スク２をクランプするクランパ１１の下面に設けられた磁石１１ａに、光ディスク２と同
芯となった円形磁石１２を吸着させておき、クランプ時、その円形磁石１２を光ディスク
２上に載置するとともに、その円形磁石１２に電磁力Ｐを作用させるための電磁石１３を
設けていることである。
【００２２】
クランパ１１に吸着保持されている円形磁石１２の中心は、平面視、装置筐体内にロー
ディングされて来て終点に達したディスク２トレイ１上の光ディスク２の中心と一致する
ようになっている。なお、その円形磁石１２の中心にはターンテーブル６のディスク２の
ガイド部６ａに挿嵌される大きさの円が開口されている。次に、その磁石１２が光ディス
ク２上に載置された後、ディスク２の回転時に、その磁石１２に電磁力Ｐを及ぼす前記電
磁石１３について説明する。
【００２３】
この電磁石１３は、本実施形態では、前記円形磁石１２の直上の装置筐体天板１４の内
面に固定している。その平面視した位置は、電磁石１３の磁力が光ディスク２上の円形磁
石１２に電磁力Ｐを作用させることのできる領域、すなわち、円形磁石１２が存在するそ
の円形領域内である。
【００２４】
この電磁石１３はまた、図示しない電磁力の制御機構に接続されていて、その制御機構
によって光ディスク２上に載置された磁石に及ぼす電磁力Ｐ（本発明の場合は反発力）が
調整できるようになっている。以上が、本実施形態のディスク２の面振れ抑制のための構
成である。次に、その動作を説明する。
【００２５】
光ディスク２が装填されたトレイ１が装置内にローディングされてくると、下方からト
ラバースシャーシ５が上昇してきて、それに搭載されたターンテーブル６とクランパ１１
との間でディスク２を挟持する。
【００２６】
その際、クランパ１１には前記した円形磁石１２が吸着されているので、この円形磁石
１２がディスク２の図の上面、すなわち、非記録面に載置されるようになる。円形磁石１
２がディスク２の上面に載置されると、ディスク２は回転動作に移行する。
【００２７】
ディスク２の回転動作が始まると、電磁石１３に電気が流れて電磁力（反発力）がディ
スク２上の磁石１２に作用し、その磁石１２とターンテーブル６との間でディスク２を挟
持して、ディスク２の反りを矯正しようとする。
【００２８】
なお、その反りを矯正するための電磁力Ｐの調整の度合いは、ディスク２の「反りの矯
正量」に基づいて行い、そのディスク２の「反りの矯正量」は光ピックアップ８がデータ
を読み書きした際のフォーカス動作、トラッキング動作が安定して行われているか否かに
基づく。
【００２９】
そして、そのフォーカス動作、トラッキング動作の安定性の度合いが電磁力の制御機構
にフィードバックされ、その情報に基づいて電磁力が調整されるのである。
【００３０】
このような構成により、本実施形態では、ディスク２を押圧して、ディスク２の反りを
矯正し、そのことにより、回転中のディスク２の「面振れ」を抑制しようとしているので
ある。
【００３１】
(第２の実施形態)
第２の実施形態の基本構成は第１の実施形態と同じである。異なるのは、光ディスク２
の上に載置する磁石が第１の実施形態のような一枚ものの円板ではなく、その元の円形磁
石１２を周方向に等分割したものであるということである。図２（ｃ）に、その元の円形
磁石１２を分割した分割磁石１２ａを示す。
【００３２】
このようにすることによって、本実施形態の場合は、電磁石１３からの電磁力が分割さ
れた磁石１２ａに作用して、各分割磁石１２ａが力を受けても、それらは互いに独立して
いるので、各分割磁石１２ａに加えられた力が光ディスク２に伝えられる際、光ディスク
２の特定の部位に応力が集中するといったおそれがなく、光ディスク２に負担がかかるこ
とがない。
【産業上の利用可能性】
【００３３】
この発明は、光ディスク装置一般に広く適用できる。
【図面の簡単な説明】
【００３４】
【図１】は、第１の実施形態の光ディスク装置のディスクの回転駆動系周りの概略構成を示した模式図である。
【図２】は、（ａ）、（ｂ）に第１の実施形態の作用を示し、（ｃ）に第２の実施形態における、分割磁石を示したものである。
【図３】は、従来の光ディスク装置のディスクの回転駆動系周りの概略構成を示した模式図である。
【図４】は、図３からディスクの回転駆動系のみを抜き出して示したものである。
【符号の説明】
【００３５】
１    トレイ
２    光ディスク
３    回転駆動系
５    トラバースシャーシ
６    ターンテーブル
７    スピンドルモータ
８    光ピックアップ
９    スレッドモータ
１０    ギア群
１１    クランパ
１２    磁石（円形磁石）
１２ａ    分割磁石
１３    電磁石
【図１】
2007122826.tif 000003
【図２】
2007122826.tif 000004
【図３】
2007122826.tif 000005
【図４】
2007122826.tif 000006